【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
命令を格納した非一時的なコンピュータ可読記憶媒体であって、前記命令は、少なくとも１つのプロセッサにより実行されると、触覚入力デバイスを含むコンピューティングシステムに少なくとも、
前記触覚入力デバイスの単一のドーム型スイッチにおいて押下を検出させ、前記単一のドーム型スイッチは、前記触覚入力デバイスの表面の下の領域の大半を占めており、
前記触覚入力デバイスの前記単一のドーム型スイッチにおいて前記押下を検出させた後、前記触覚入力デバイスにおける接触の回数を検出させ、前記検出された各接触は、持続時間と移動距離とに対応付けられており、
前記触覚入力デバイスにおいて前記接触の回数を検出させた後、前記触覚入力デバイス上で検出された接触の回数、前記検出された接触の持続時間、及び前記検出された接触の移動距離に基づき、処理する入力の種類を決定させるように構成されている、非一時的なコンピュータ可読記憶媒体。
【請求項２】
前記命令は、前記コンピューティングシステムに、前記触覚入力デバイス上で検出された接触の回数、前記検出された接触の持続時間、及び前記検出された接触が前記触覚入力デバイスにわたって移動しているかに基づき、左クリック又は右クリックを処理するかを決定させるように構成されている、請求項１記載の非一時的なコンピュータ可読記憶媒体。
【請求項３】
前記命令は、前記コンピューティングシステムに、前記触覚入力デバイス上で検出された接触の回数、前記検出された接触間の少なくとも１つの距離、前記検出された接触の持続時間、及び前記検出された接触が前記触覚入力デバイスにわたって移動しているかに基づき、左クリック、ミドルクリック、又は右クリックを処理するかを決定させるように構成されている、請求項１記載の非一時的なコンピュータ可読記憶媒体。
【請求項４】
前記命令は、前記コンピューティングシステムに、前記触覚入力デバイス上で検出された接触の回数、前記検出された接触の持続時間、前記検出された接触の移動距離、及び前記検出された接触間の距離に基づき、処理する入力の種類を決定させるように構成されている、請求項１記載の非一時的なコンピュータ可読記憶媒体。
【請求項５】
命令を格納した非一時的なコンピュータ可読記憶媒体であって、前記命令は、少なくとも１つのプロセッサにより実行されると、触覚入力デバイスを含むコンピューティングシステムに少なくとも：
前記触覚入力デバイスにおいて、２つの接触を検出させ、
前記触覚入力デバイスにおいて前記２つの接触を検出させた後、検出された前記２つの接触のうち一方のみが少なくともしきい値距離だけ前記触覚入力デバイスにわたって移動した場合、入力の種類が第１の入力の種類であると決定させ、
前記触覚入力デバイスにおいて前記２つの接触を検出させた後、前記検出された接触のいずれも少なくともしきい値距離だけ前記触覚入力デバイスにわたって移動していない場合、又は前記検出された接触の両方が少なくとも前記しきい値距離だけ前記触覚入力デバイスにわたって移動した場合に、
前記２つの検出された接触が互いにしきい値距離内にあれば、前記入力の種類が第２の入力の種類であると決定させ、及び
前記２回の検出された接触が互いに前記しきい値距離内になければ、前記入力の種類が前記第１の入力の種類であると決定させるように構成されている、非一時的なコンピュータ可読記憶媒体。
【請求項６】
前記第１の入力の種類は左クリックであり、前記第２の入力の種類は右クリックである、請求項５記載の非一時的なコンピュータ可読記憶媒体。
【請求項７】
前記２つの接触の検出は、前記触覚入力デバイスの押下の検出に応じて行われる、請求項５記載の非一時的なコンピュータ可読記憶媒体。
【請求項８】
非一時的なコンピュータ可読記憶媒体であって、
前記非一時的なコンピュータ可読記憶媒体に格納された命令は、少なくとも１つのプロセッサにより実行される際に、触覚入力デバイスを含むコンピューティングシステムに少なくとも：
前記触覚入力デバイスにおいて、３回以上の接触を検出させ；
少なくとも３回の検出された接触のうち第１及び第２の接触が少なくともしきい値距離だけ前記触覚入力デバイスにわたって移動し、前記少なくとも３回の検出された接触のうち第３の接触が少なくとも前記しきい値距離だけ移動していない場合、前記第３の検出された接触が意図しない接触であるかを決定させ、前記第３の検出された接触が意図しない接触であるかの決定は、前記第１及び第２の接触が少なくとも前記しきい値距離だけ移動しており、前記第３の検出された接触が少なくとも前記しきい値距離だけ移動していないことを決定した後に行われ、前記第３の検出された接触が意図しない接触であるかの決定は、前記第３の検出された接触が前記触覚入力デバイスの減衰領域内にあったかの決定を含み、
；
前記第３の検出された接触が意図しない接触であると決定された場合、前記第３の検出された接触を除外させ、及び
前記第３の検出された接触が意図しない接触ではないと決定された場合、入力の種類が前記第１の入力の種類であると決定させる非一時的なコンピュータ可読記憶媒体。
【請求項９】
処理する入力の種類の決定は、
前記少なくとも３回の検出された接触がすべてしきい値持続時間以下の持続時間を有する場合、前記少なくとも３回の検出された接触がすべて前記触覚入力デバイス上の前記減衰領域の外部にあるか否かを決定することと、
前記少なくとも３回の検出された接触がすべて前記減衰領域の外部にある場合に、
前記少なくとも３回の検出された接触が３回の検出された接触を含む場合、前記入力の種類を前記第１の入力の種類と決定することと、
前記少なくとも３回の検出された接触が４回の検出された接触を含む場合、前記入力の種類を第２の入力の種類と決定することとを含む、請求項８記載の非一時的なコンピュータ可読記憶媒体。
【請求項１０】
前記３つ以上の接触の検出は前記触覚入力デバイスの押下の検出に応じて行われる、請求項８記載の非一時的なコンピュータ可読記憶媒体。
【請求項１１】
前記第３の検出された接触が意図しない接触であるかの決定は、前記第３の検出された接触が親指であるかを決定することを含む、請求項８記載の非一時的なコンピュータ可読記憶媒体。
【請求項１２】
前記減衰領域のすべてはプライマリ領域よりも前記コンピューティングデバイスのキーボードから離れており、前記プライマリ領域は前記減衰領域以外の前記触覚入力デバイスの部分である、請求項８記載の非一時的なコンピュータ可読記憶媒体。
【請求項１３】
命令を格納した非一時的なコンピュータ可読記憶媒体であって、前記命令は、少なくとも１つのプロセッサにより実行されると、触覚入力デバイスを含むコンピューティングシステムに少なくとも、
前記触覚入力デバイス上で、少なくとも１つの接触を検出させ、
前記少なくとも１つの接触を検出させた後、前記少なくとも１つの接触が前記触覚入力デバイスにわたって移動しているかを決定させ、
前記少なくとも１つの接触が前記触覚入力デバイスにわたって移動している場合、前記少なくとも１つの接触が前記触覚入力デバイスにわたって移動していることに基づいて、前記少なくとも１つの接触を第１の種類に分類させ、
前記少なくとも１つの接触が前記触覚入力デバイスにわたって移動していない場合、前記少なくとも１つの接触が現在時刻から少なくともしきい値時間前に前記触覚入力デバイスとの接触を開始したかを決定させ、
前記少なくとも１つの接触が現在時刻から少なくとも前記しきい値時間前に前記触覚入力デバイスとの接触を開始しており、かつ前記触覚入力デバイスにわたって移動していないと決定された場合、前記少なくとも１つの接触を第２の種類に分類させ、
前記少なくとも１つの接触が現在時刻から前記しきい値時間前、又はこれより後に前記触覚入力デバイスとの接触を開始しており、かつ前記触覚入力デバイスにわたって移動していないと決定された場合、前記少なくとも１つの接触を第３の種類に分類させる、一時的なコンピュータ可読記憶媒体。
【請求項１４】
前記少なくとも１つの検出された接触は、第１の接触及び第２の接触を含み、
前記第１の接触は、前記第１の種類に分類され、
前記第２の接触は、前記第２の種類に分類される、請求項１３記載の非一時的なコンピュータ可読記憶媒体。
【請求項１５】
前記少なくとも１つの検出された接触は、第１の接触及び第２の接触を含み、
前記第１の接触は、前記第１の種類に分類され、
前記第２の接触は、前記第３の種類に分類される、請求項１３記載の非一時的なコンピュータ可読記憶媒体。
【請求項１６】
前記少なくとも１つの検出された接触は、第１の接触及び第２の接触を含み、
前記第１の接触は、前記第２の種類に分類され、
前記第２の接触は、前記第３の種類に分類される、請求項１３記載の非一時的なコンピュータ可読記憶媒体。
【請求項１７】
前記触覚入力デバイスへの接触の開始が現在時刻から少なくとも前記しきい値時間前であり、さらに前記触覚入力デバイスにわたって移動していないと決定されたことに基づき、又は前記コンピューティングシステムによる、前記少なくとも１つの接触は親指の接触であるという決定に基づき、前記少なくとも１つの接触は前記第２の種類に分類される、請求項１３記載の非一時的なコンピュータ可読記憶媒体。
【請求項１８】
コンピュータで実施される方法であって、
触覚入力デバイス上で、少なくとも１つの接触を検出することと、
前記少なくとも１つの接触を検出した後、前記少なくとも１つの接触が前記触覚入力デバイスにわたって移動しているかを決定することと、
前記少なくとも１つの接触が前記触覚入力デバイスにわたって移動している場合、前記少なくとも１つの接触が前記触覚入力デバイスにわたって移動していることに基づいて、前記少なくとも１つの接触を第１の種類に分類することと、
前記少なくとも１つの接触が前記触覚入力デバイスにわたって移動していない場合、前記少なくとも１つの接触が現在時刻から少なくともしきい値時間前に前記触覚入力デバイスとの接触を開始したかを決定することと、
前記少なくとも１つの接触が現在時刻から少なくとも前記しきい値時間前に前記触覚入力デバイスとの接触を開始しており、かつ前記触覚入力デバイスにわたって移動していないと決定された場合、前記少なくとも１つの接触を第２の種類に分類することと、
前記少なくとも１つの接触が現在時刻から前記しきい値時間前、又はこれより後に前記触覚入力デバイスとの接触を開始しており、かつ前記触覚入力デバイスにわたって移動していないと決定された場合、前記少なくとも１つの接触を第３の種類に分類することとを備える、方法。
【請求項１９】
前記少なくとも１つの検出された接触は、第１の接触及び第２の接触を含み、
前記第１の接触は、前記第１の種類に分類され、
前記第２の接触は、前記第２の種類に分類される、請求項１８記載のコンピュータで実施される方法。
【請求項２０】
前記少なくとも１つの検出された接触は、第１の接触及び第２の接触を含み、
前記第１の接触は、前記第１の種類に分類され、
前記第２の接触は、前記第３の種類に分類される、請求項１８記載のコンピュータで実施される方法。
【請求項２１】
前記少なくとも１つの接触の決定された分類及び前記触覚入力デバイス上の他の接触の回数、各接触の経過時間、並びに前記各接触が前記触覚入力デバイスにわたって移動しているかに基づき、処理する入力の種類を決定することをさらに含む、請求項１８記載のコンピュータで実施される方法。